(57)【要約】【課題】  本発明は、複数の各種機能の動作モードを一括で設定することができ、設定時間の短縮化を図ることができる携帯電話機及び携帯電話機の機能設定方法を提供する。【解決手段】  本発明の携帯電話機は、各種機能の動作モードを設定できる携帯電話機において、複数の各種機能の動作モードを一括で設定する一括設定部１４を有する。一括設定部１４は、各種機能の動作モードが異なるように組み合わされた複数の設定モードから選択して設定することができ、各設定モードは、所定のイメージに合うように各種機能の動作モードが組み合わされている。【選択図】 図１
2006087143.tif 000002
【特許請求の範囲】
【請求項１】
各種機能の動作モードを設定できる携帯電話機において、複数の各種機能の動
作モードを一括で設定する一括設定手段を有することを特徴とする携帯電話機。
【請求項２】
前記一括設定手段は、各種機能の動作モードが異なるように組み合わされた複
数の設定モードから選択して設定することを特徴とする請求項１に記載の携帯電
話機。
【請求項３】
前記各設定モードは、所定のイメージに合うように各種機能の動作モードが組
み合わされていることを特徴とする請求項２に記載の携帯電話機。
【請求項４】
前記イメージは、特定の場所に関するイメージであることを特徴とする請求項
３に記載の携帯電話機。
【請求項５】
前記イメージは、特定のキャラクタに関するイメージであることを特徴とする
請求項３に記載の携帯電話機。
【請求項６】
前記各種機能は、表示部に表示される画面に関する項目を有することを特徴と
する請求項１乃至５のいずれか１つの項に記載の携帯電話機。
【請求項７】
前記各種機能は、出力部から出力される音に関する項目を有することを特徴と
する請求項１乃至６のいずれか１つの項に記載の携帯電話機。
【請求項８】
前記各種機能は、発光部から発せられる光に関する項目を有することを特徴と
する請求項１乃至７のいずれか１つの項に記載の携帯電話機。
【請求項９】
前記各種機能は、バイブレータに関する項目を有することを特徴とする請求項
１乃至８のいずれか１つの項に記載の携帯電話機。
【請求項１０】
前記各種機能は、表示部に表示される画面に関する項目、出力部から出力され
る音に関する項目、発光部から発せられる光に関する項目及びバイブレータに関
する項目のうち、少なくとも２以上の項目を有することを特徴とする請求項１乃
至９のいずれか１つの項に記載の携帯電話機。
【請求項１１】
ストレート型の本体で構成されていることを特徴とする請求項１乃至１０のい
ずれか１つの項に記載の携帯電話機。
【請求項１２】
折り畳み型の本体で構成されていることを特徴とする請求項１乃至１０のいず
れか１つの項に記載の携帯電話機。
【請求項１３】
表示部が１つだけ有することを特徴とする請求項１乃至１２のいずれか１つの
項に記載の携帯電話機。
【請求項１４】
表示部が２以上有することを特徴とする請求項１乃至１２のいずれか１つの項
に記載の携帯電話機。
【請求項１５】
各種機能の動作モードを設定できる携帯電話機の機能設定方法において、複数
の各種機能の動作モードを一括で設定するステップを有することを特徴とする携
帯電話機の機能設定方法。
【請求項１６】
各種機能の動作モードが異なるように組み合わされた複数の設定モードから選
択して設定するステップを有することを特徴とする請求項１５に記載の携帯電話
機の機能設定方法。
【発明の詳細な説明】
【技術分野】
【０００１】
本発明は、例えば着信時のメロディ、効果音、表示データ、ＬＥＤの点滅パタ
ーンなどの各種機能の動作モードを設定できる携帯電話機及び携帯電話機の機能
設定方法に関し、特に、複数の各種機能の動作モードを一括で設定することがで
きる携帯電話機及び携帯電話機の機能設定方法に関する。
【背景技術】
【０００２】
従来の携帯電話機においては、着信時のメロディ、効果音、表示データ、ＬＥ
Ｄの点滅パターンなどの各種機能の動作モードをユーザの操作により設定できる
ように構成されている。
【０００３】
例えば、特開２０００−２８６９２７号公報には、マルチモードメニュー画面
にユーザ定義のオリジナルモードも選択肢の１つとして表示し、このオリジナル
モードが選択されると、設定され登録されているオリジナルモードの内容が表示
され、携帯電話機はこのオリジナルモードで定義されている状態で動作する。
オリジナルモードのための各種設定においては、上下左右の矢印キーやテンキ
ーなどを用いて、例えば、音量の設定、バイブレータ鳴音のオン／オフ設定など
を個別に行う。
【０００４】
【特許文献１】特開２０００−２８６９２７号公報
【発明の開示】
【発明が解決しようとする課題】
【０００５】
従来の携帯電話機では、例えば着信時のメロディ、効果音、表示データ、ＬＥ
Ｄの点滅パターンなどの各種機能の動作モードを設定する場合、各機能ごとに個
別に設定していた。画像については、特定のキャラクタ画像など統一する機能は
あったが、着信音まで含めて設定できる機能はなく、個別に設定せざるを得なか
った。
【０００６】
そのため、設定すべき機能が多くなると、ユーザが一つ一つ設定しなければな
らず、手間がかかるという課題があった。
【０００７】
本発明は、上記課題を解決するためになされたものであり、複数の各種機能の
動作モードを一括で設定することができ、設定時間の短縮化を図ることができる
携帯電話機及び携帯電話機の機能設定方法を提供することを目的とする。
【課題を解決するための手段】
【０００８】
本発明の携帯電話機は、各種機能の動作モードを設定できる携帯電話機におい
て、複数の各種機能の動作モードを一括で設定する一括設定手段を有することを
特徴とするものである。
【０００９】
前記一括設定手段は、各種機能の動作モードが異なるように組み合わされた複
数の設定モードから選択して設定してもよい。
【００１０】
前記各設定モードは、所定のイメージに合うように各種機能の動作モードが組
み合わされていてもよい。
【００１１】
前記イメージは、特定の場所に関するイメージであってもよく、特定のキャラ
クタに関するイメージであってもよい。
【００１２】
前記各種機能は、表示部に表示される画面に関する項目を有してもよく、出力
部から出力される音に関する項目を有してもよく、発光部から発せられる光に関
する項目を有してもよく、バイブレータに関する項目を有してもよい。
【００１３】
前記各種機能は、表示部に表示される画面に関する項目、出力部から出力され
る音に関する項目、発光部から発せられる光に関する項目及びバイブレータに関
する項目のうち、少なくとも２以上の項目を有してもよい。
【００１４】
ストレート型の本体で構成されていてもよく、折り畳み型の本体で構成されて
いてもよい。
【００１５】
表示部が１つだけ有してもよく、表示部が２以上有してもよい。
【００１６】
本発明の携帯電話機の機能設定方法は、各種機能の動作モードを設定できる携
帯電話機の機能設定方法において、複数の各種機能の動作モードを一括で設定す
るステップを有することを特徴とするものである。
【００１７】
各種機能の動作モードが異なるように組み合わされた複数の設定モードから選
択して設定するステップを有してもよい。
本発明によれば、複数の各種機能の動作モードを一括で設定することができる
ので、設定時間の短縮化を図ることができる。
【発明の効果】
【００１８】
本発明によれば、複数の各種機能の動作モードを一括で設定することができる
ので、設定時間の短縮化を図ることができ、操作性が大幅に向上する。
【発明を実施するための最良の形態】
【００１９】
以下、本発明の実施の形態について図面を参照して説明する。図１（Ａ）は本
発明の実施形態例に係る携帯電話機の構成を示すブロック図、（Ｂ）は制御部の
構成を示すブロック図である。
【００２０】
図１（Ａ）に示すように、本発明の実施形態例に係る携帯電話機は、各種メロ
ディ、効果音、表示データ、ＬＥＤ点滅パターン等の各種機能の動作モード情報
を格納するＲＯＭ１と、各種機能の動作モードのうち、どの動作モードを使用す
るかの設定情報を保持するＲＡＭ２と、各々の設定の選択操作及び設定操作を行
うキー入力部３と、メロディ、効果音を鳴動させるためのスピーカアンプ４及び
スピーカ５と、点滅パターンによっていろいろな色、発光をするための制御を行
うＲＧＢコントローラ６及び発光素子であるＬＥＤ７と、表示データを展開し表
示させる第１のＬＣＤ駆動部８及び表示素子である第１のＬＣＤ９と、折り畳ん
だときに、外側に配置されるように組み込まれた第２の表示部である第２のＬＣ
Ｄ駆動部１０及び第２のＬＣＤ１１と、着信時などに本体を振動させるバイブレ
ータ１２と、これらを制御する制御部１３とを有する。
【００２１】
ＲＯＭ１に格納される各種機能の項目である各種メロディ及び効果音とは、例
えば電話が着信したときに鳴動させる電話着信音、メールを受信したときに鳴動
させるメール着信音、メッセージサービスを受信したときに鳴動させるメッセー
ジ着信音、ボタン押下時に確認音として鳴動するボタン確認音などである。また
、表示データとは、例えば待ち受け時画面に表示させる画像データ、電源投入時
に表示させる画像データ、電話発信、電話着信、メール発信、メール着信時に表
示させる画像データ、および第２の表示部（例えば背面表示部）に表示させる画
像データなどである。ＬＥＤ点滅パターンとは、例えばメロディ、効果音に連動
した点滅パターン、あるいは時間のタイミングに従った点滅パターンなどである
。
【００２２】
ＲＡＭ２には、メロディの場合、１０曲あるうちの何番目を使用するかなど、
使用すべきメロディの情報（動作モード設定情報）が格納されている。同様に表
示データ、ＬＥＤ点滅パターンなども、何番目を使用するかの情報（動作モード
設定情報）が格納されている。
【００２３】
制御部１３は、図１（Ｂ）に示すように、複数の各種機能の動作モードを一括
で設定する一括設定部１４を有する。制御部１３の一括設定部１４は、各種機能
の動作モードが異なるように組み合わされた複数の設定モードから選択して設定
するようにしてもよい。この場合、選択される各設定モードは、所定のイメージ
に合うように各種機能の動作モードが組み合わされていてもよい。例えば山に関
するイメージの場合には、山の風景の画像、鳥の鳴き声のメロディなどが一括し
て設定され、海に関するイメージの場合には、海の風景の画像、波の音のメロデ
ィなどが一括して設定され、特定のキャラクタに関するイメージの場合には、そ
のキャラクタの画像、キャラクタに関するメロディなどが一括して設定される。
【００２４】
キー入力部３によって一括設定操作を行ったとき、制御部１３の一括設定部１
４は、ＲＡＭ２に格納されている動作モードの設定値情報を更新する。
【００２５】
設定値が更新されると、制御部１３は待ち受け画像として設定されたデータを
ＲＯＭ１より取り出し、第１のＬＣＤ駆動部８を介して第１のＬＣＤ９へ表示す
る。同様に第２の表示部へのデータとして、制御部１３は第２のＬＣＤ駆動部１
０を介して第２のＬＣＤ１１へ表示データを送出する。
【００２６】
また、アンテナ１５より受信し、無線部１６で復調した信号を制御部１３によ
り音声着信があった場合には、制御部１３はＲＡＭ２で格納されている動作モー
ドの設定値情報に従ってＲＯＭ１から音声着信用の表示データを取りだし、第１
のＬＣＤ９へ表示させると共に、スピーカアンプ４を介してスピーカ５より着信
音を鳴動させる。
【００２７】
また、制御部１３は、ＲＡＭ２で格納されている動作モードの設定値情報に従
ってＲＧＢコントローラ６を制御してＬＥＤ７を発光、点滅させる。また、制御
部１３は、ＲＡＭ２で格納されている動作モードの設定値情報に従って、バイブ
レータ１２を制御して本体を振動させることも可能である。
【００２８】
図２は本発明の実施形態例における一括設定の動作を説明するためのフローチ
ャートである。
【００２９】
まず、待ち受け状態（ステップＳ１）において、一括設定（ステップＳ２）を
行った場合、ＲＡＭ２で格納されている各種機能の動作モードの設定値が書き換
えられる。ステップＳ２にてキャンセル操作を行った場合は、設定値は書き換え
られないまま、待ち受け状態（ステップＳ１）へ移行する。
【００３０】
ステップＳ２で一括設定を行った場合、各動作モードの設定値については、例
えば電源投入時画面は３番に設定され（ステップＳ３）、待ち受け画面は３番に
設定され（ステップＳ４）、電話着信音は着信音３番に設定され（ステップＳ５
）、メール着信音は効果音３番に設定され（ステップＳ６）、メッセージ着信音
は効果音３番に設定され（ステップＳ７）、ボタン確認音はボタン効果音３番に
設定され（ステップＳ８）、第２の表示部として備えられた背面表示部の画面は
３番に設定され（ステップＳ９）、ＬＥＤ点滅パターンはメロディ連動に設定さ
れる（ステップＳ１０）。
【００３１】
待ち受け画面が更新されると（ステップＳ１１）、その画面表示が変更され、
背面表示部の画面が更新されると（ステップＳ１２）、その画面表示が変更され
る。
【００３２】
設定値が一括して設定変更されると、待ち受け状態となる（ステップＳ１３）
。
【００３３】
図３は、本発明の実施形態例における一括設定の内容を説明するための一覧表
である。
【００３４】
制御部１３の一括設定部１４は、各種機能の動作モードが異なるように組み合
わされた複数の設定モードから選択して設定できるようにしてもよい。また、選
択される各設定モードは、所定のイメージに合うように各種機能の動作モードが
組み合わされていてもよい。
【００３５】
例えば図３に示すように、各設定モードでは、海や山などの場所に関するイメ
ージ、特定のキャラクタに関するイメージに応じて、画像、メロディなどの各種
機能の項目ごとに、動作モードが異なるように組み合わされて規定されている。
なお、画面については、図２および図３では電源投入時と待ち受け時のみ記載し
ているが、電話発信、着信時画面、メール発信、着信画面も同様に設定可能であ
る。
【００３６】
本発明の実施形態例が適用される携帯電話機は、図４（Ａ）に示すように、表
示部１７及び操作部１８を一体に構成したストレート型（一体型）の本体で構成
されていてもよく、図４（Ｂ）に示すように、表示部１７（蓋部）と操作部１８
を分離して両者をヒンジ部１９で回動可能に連結した折り畳み型の本体で構成さ
れていてもよい。また、画面を表示する表示部は、図４（Ａ）に示すように１つ
だけでもよい。また、図４（Ｃ）に示すように、折り畳み型の本体（図４（Ｂ）
参照）の蓋部に背面表示部２０を設けるなど、表示部は２以上あってもよい。
【００３７】
本発明の実施形態例によれば、複数の各種機能の動作モードを一括で設定する
ことができるので、設定時間の短縮化を図ることができ、操作性が大幅に向上す
る。
【００３８】
本発明は、上記実施の形態に限定されることはなく、特許請求の範囲に記載さ
れた技術的事項の範囲内において、種々の変更が可能である。  
例えば、設定モードでは、年代別（学生向け、若者向け、中年向け、高齢者向
けなど）や性別（男性向け、女性向けなど）に関するイメージに応じて、各種機
能の項目ごとの動作モードを組み合わせてもよい。これによって、例えば高齢者
のユーザ用として、着信音を大きくしたり、画面表示の文字を大きくすることを
一括設定できる。また、メロディと画像だけのように、部分的な一括設定も可能
である。さらに、各種機能の項目として表示部（背面表示部も含む）のバックラ
イトの発光色や発光パターンなども含む。
【図面の簡単な説明】
【００３９】
【図１】（Ａ）は本発明の実施形態例に係る携帯電話機の構成を示すブロック図、（Ｂ）は制御部の構成を示すブロック図である。
【図２】本発明の実施形態例における一括設定の動作を説明するためのフローチャートである。
【図３】本発明の実施形態例における一括設定の内容を説明するための一覧表である。
【図４】本発明の実施形態例に適用される携帯電話機の外観を示す説明図である。
【符号の説明】
【００４０】
１：ＲＯＭ
２：ＲＡＭ
３：キー入力部
４：スピーカアンプ
５：スピーカ
６：ＲＧＢコントローラ
７：ＬＥＤ
８：第１のＬＣＤ駆動部
９：第１のＬＣＤ
１０：第２のＬＣＤ駆動部
１１：第２のＬＣＤ
１２：バイブレータ
１３：制御部
１４：一括設定部
１５：アンテナ
１６：無線部
１７：表示部
１８：操作部
１９：ヒンジ部
２０：背面表示部
【図１】
2006087143.tif 000003
【図２】
2006087143.tif 000004
【図３】
2006087143.tif 000005
【図４】
2006087143.tif 000006